(57)【要約】【課題】地震発生等の非常時にかご内に乗客が閉じ込められた場合でも、簡単な構造でかご室内に携帯電話の電波が入り、外部と携帯電話で連絡が取れるようにしたエレベータのかごを得る。【解決手段】金属製の壁で覆われたかご室１と、かご室の側壁に設けられた開口部６を常時は閉塞しており、非常時に解除されて開放される非常扉５とを備え、非常扉の開放により、開口部からかご室内に携帯電話の電波が入るとともに、かご内に外気が取り入れられるようにする。【選択図】図１
2008137796.tif 000002
【特許請求の範囲】
【請求項１】
金属製の壁で覆われたかご室と、
前記かご室の側壁に設けられた開口部を常時は閉塞しており、非常時に解除されて開放される非常扉とを備え、
前記非常扉の開放により、前記開口部からかご室内に携帯電話の電波が入るとともに、かご内に外気が取り入れられるようにしたことを特徴とするエレベータのかご。
【請求項２】
非常扉は、かご室内に設けられた非常ボタンが操作されると、ロックが解除されて開放されることを特徴とする請求項１記載のエレベータのかご。
【請求項３】
非常ボタンが押されると、自動アナウンスやかご操作盤の表示によりかご室に非常扉が設置されていることを乗客に知らせることを特徴とする請求項２記載のエレベータのかご。
【請求項４】
非常扉が開放されている間は、エレベータを運転不能にすることを特徴とする請求項１記載〜請求項３のいずれかに記載のエレベータのかご。
【請求項５】
非常扉は、非常時にかご室の内側に水平状態に倒れて係止され、腰掛け椅子として使用できるようにしたことを特徴とする請求項１又は請求項２記載のエレベータのかご。
【請求項６】
金属製の壁で覆われたかご室と、
前記かご室の背側壁に設けられた開口部を閉塞するように設けられ、携帯電話の電波を透過させるハーフミラーからなる身障者対応の鏡と、
を備えたことを特徴とするエレベータのかご。
【請求項７】
金属製の壁で覆われたかご室と、
前記かご室の側壁に設けられた開口部を常時は閉塞しており、非常時に解除されて開放される身障者対応の鏡とを備え、
前記鏡の開放により、前記開口部からかご室内に携帯電話の電波が入るとともに、かご内に外気が取り入れられるようにしたことを特徴とするエレベータのかご。
【発明の詳細な説明】
【技術分野】
【０００１】
この発明は、地震発生等の非常時にかご内に乗客が閉じ込められた場合、外部と携帯電話で連絡が取れる機能を備えたエレベータのかごに関するものである。
【背景技術】
【０００２】
地震発生等の非常時に、エレベータかご内に乗客が閉じ込められた際、外部との連絡手段の一つとして、かご操作盤から管理人室や保守のサービスセンタに繋げることは可能であるが、乗客個人が持っている携帯電話を使うことはかご内の電波状態が悪く、送受信できなかった。また、密室状態のかご内に閉じ込められるので、かご内の温度が上昇し、息苦しさを感じることがあった。
【０００３】
また、従来技術として、かご内で無線による携帯端末を使用可能にするために、建物外部の公衆回線網に接続された基地局との間で電波の送受信が可能な場所に設けられた外部アンテナと、この外部アンテナからテールコードを介して接続されたかご内に取り付けられたかご内アンテナとを設け、かごが電波遮蔽材で構成されている場合でも、かご内の携帯端末と建物外部の電話機との間で通話可能にしたものが知られている(例えば、特許文献１参照)。
【０００４】
【特許文献１】特開２００５−２１３０３２号公報
【発明の開示】
【発明が解決しようとする課題】
【０００５】
携帯電話の電波は、金属を透過しないため、金属製の壁で覆われたエレベータかご内においては、換気のための僅かな隙間が形成されているだけでは、電波状態が悪く、携帯電話を使うことができない場合があった。また、携帯電話基地局とビルの位置関係次第では、ビル上層階において、携帯電話と基地局の距離が遠くなり過ぎて、元々の電波状態が悪くなるため、その上、更に金属で覆われたかご内に入ることで、益々携帯電話を使うことができない場合があった。したがって、地震発生等の非常時に、エレベータかご内に乗客が閉じ込められた場合、携帯電話を使うことはできなかった。また、密室状態のかご内に閉じ込められるので、かご内の温度が上昇し、息苦しさを感じることがあった。
【０００６】
また、従来技術では、建物外部の公衆回線網に接続された基地局との間で電波の送受信が可能な場所に設けられた外部アンテナと、この外部アンテナからテールコードを介して接続されたかご内に取り付けられたかご内アンテナとを設けたりするので、設備が大掛かりになるという問題があった。
【０００７】
この発明は、上述のような課題を解決するためになされたもので、地震発生等の非常時にかご内に乗客が閉じ込められた場合でも、簡単な構造でかご室内に携帯電話の電波が入り、外部と携帯電話で連絡が取れるようにしたエレベータのかごを提供するものである。
【課題を解決するための手段】
【０００８】
この発明に係るエレベータのかごにおいては、金属製の壁で覆われたかご室と、かご室の側壁に設けられた開口部を常時は閉塞しており、非常時に解除されて開放される非常扉とを備え、非常扉の開放により、開口部からかご室内に携帯電話の電波が入るとともに、かご内に外気が取り入れられるようにしたものである。
【０００９】
また、金属製の壁で覆われたかご室と、かご室の背側壁に設けられた開口部を閉塞するように設けられ、携帯電話の電波を透過させるハーフミラーからなる身障者対応の鏡と  を備えたものである。
【発明の効果】
【００１０】
この発明によれば、地震発生等の非常時にかご内に乗客が閉じ込められた場合でも、簡単な構造でかご室内に携帯電話の電波が入り、外部と携帯電話で連絡が取ることができる。また、密室状態のかご内に外気を取り入れることができるので、かご内の温度上昇や息苦しさも防止できる効果がある。
【発明を実施するための最良の形態】
【００１１】
実施の形態１．
図１はこの発明の実施の形態１におけるエレベータのかごを室内側から見た斜視図、図２は図１のＡ−Ａ線に沿った要部構造を示し、非常時の扉開放状態を示す拡大断面図、図３はこの発明の実施の形態１におけるエレベータのかごの動作を説明するためのフローチャートである。
【００１２】
図において、１は金属製の壁で覆われたエレベータのかご室、２はかご室１の一方の袖壁３に設けられたかご操作盤で、行き先階登録ボタン、戸開ボタン、戸閉ボタン、かご内ディスプレイ装置、インターホン等を備えている。４はかご操作盤２に設けられた非常ボタンで、非常時に操作される。５はかご室１の両側壁の下部に設けられた開口部６を常時閉塞している金属製の非常扉で、地震発生等の非常時、すなわち非常ボタン４が操作された非常時のみ開放可能としている。上記非常扉５は、下端部を開口部６の周縁側壁の下部に支持ピン７により回動自在に支持されており、常時は開口部６に嵌り込んで該開口部６を閉塞しているパネル状の金属製扉体８と、この金属製扉体８の上端部と開口部６の周縁側壁の上部との間に設けられ、図２に示すように、金属製扉体８の上端部を非常時のみかご室１の外側に移動させて開放状態とするリンク機構９と、開口部６の周縁上壁部に出没自在に設けられ、常時は上記金属製扉体８の上端部に設けられた係合部（図示せず）に係合して金属製扉体８を閉塞状態に固定するロック機構１０とから構成されている。
【００１３】
次に、この発明の動作について、図３により説明する。
地震発生等を感知して（ステップＳ１）、エレベータが非常停止し、エレベータのかご内に乗客が閉じ込められた場合（ステップＳ２）、乗客により非常ボタン４が押されると（ステップＳ３）、自動アナウンスやかご操作盤２での表示等によりかご室１に非常扉５が設置されていることを乗客に知らせる（ステップＳ４）。そして、非常ボタン４の操作により、ロック機構１０が外れて、金属製の非常扉５を開放可能とする（ステップＳ５）。金属製の非常扉５の開放により、開口部６からかご室１内に携帯電話の電波が入るので、乗客は外部と携帯電話で連絡が取ることができ、乗客の不安感を解消することができる。また、密室状態のかご内に開口部６から外気を取り入れることができるので、かご内の温度上昇や息苦しさを防止することができる。なお、金属製の非常扉５の開放時は、危険防止のため、安全回路等によりエレベータは運転不能とする（ステップＳ６）。エレベータ復帰時には、金属製の非常扉５が自動でロックがかかるようにしておく。
【００１４】
この発明によれば、地震発生等の非常時にかご内に乗客が閉じ込められた場合でも、簡単な構造でかご室内に携帯電話の電波が入り、外部と携帯電話で連絡が取ることができる。また、密室状態のかご内に外気を取り入れることができるので、かご内の温度上昇や息苦しさも防止できる。
【００１５】
実施の形態２．
図４はこの発明の実施の形態２におけるエレベータのかごの非常時の扉開放状態を示す拡大断面図である。
上記実施の形態１では、非常扉５の金属製扉体８の上端部と開口部６の周縁側壁の上部との間に設けられ、金属製扉体８の上端部を非常時のみかご室１の外側に移動させて開放状態とするリンク機構９を設けた構成としたが、この実施の形態２においては、図４に示すように、非常扉５の金属製扉体８の上端部と開口部６の周縁側壁の上部との間に設けられ、金属製扉体８の上端部を非常時のみかご室１の内側に移動させて開放状態とする紐や鎖等の連結具１１を設けたものである。金属製非常扉５が開く程度は、金属製扉体８の上端部と開口部６の周縁側壁の上部との間に形成される上方開口部が３０〜５０ｍｍ程度となるように制限する。なお、上記以外の構成は、図示を省略しているが、実施の形態１とほぼ同様である。
【００１６】
実施の形態３．
図５はこの発明の実施の形態３におけるエレベータのかごの非常時の扉開放状態を示す拡大断面図である。
この実施の形態３においては、金属製の非常扉５は、下端部を開口部６の周縁側壁の下部に支持ピン７により回動自在に支持され、常時は開口部６に嵌り込んで該開口部６を閉塞しており、非常時にはかご室１の内側に水平状態に倒れて係止され、水平の取付高さを５００〜６００ｍｍ程度とすることで腰掛け椅子として使用できるようにしたパネル状の金属製扉体８と、かご室１外壁側に設けられ、図５に示すように、開放された開口部６の下半部をかご室１外から塞いでいる閉塞体１２と、開口部６の周縁上壁部に出没自在に設けられ、常時は上記金属製扉体８の上端部に設けられた係合部（図示せず）に係合して金属製扉体８を閉塞状態に固定するロック機構１０とから構成されている。金属製非常扉５が開放された時（図５）、閉塞体１２の上端部と開口部６の周縁側壁の上部との間に形成される上方開口部が３０〜５０ｍｍ程度となるようにする。
この実施の形態３によれば、非常時に金属製扉体８を腰掛け椅子として使用することにより、救出までの待ち時間の疲労を軽減することができる。
【００１７】
実施の形態４．
図６はこの発明の実施の形態４におけるエレベータのかごを室内側から見た斜視図、図７は図６のＢ−Ｂ線に沿った要部構造を示す拡大断面図である。
【００１８】
図において、１３はエレベータのかご室１の出入口と対向する背面壁に設置された身障者対応のガラス製ハーフミラーからなる鏡で、壁の開口部に嵌め込む構造で強化ガラスを使用している。これにより、金属で覆われているかご室１の一部にガラスを使用することで、携帯電話の電波がかご内に届くことになり、乗客は非常時に携帯電話を用いて外部と連絡を取ることが可能となり、安心感を得ることができる。
なお、上記身障者対応の鏡１３を、実施の形態１における非常扉５と同様に、地震発生等の非常時、すなわち非常ボタン４が操作された非常時のみ鏡１３のロック機構を外して、開放可能に構成しても良いことはもちろんである。
【図面の簡単な説明】
【００１９】
【図１】この発明の実施の形態１におけるエレベータのかごを室内側から見た斜視図である。
【図２】図１のＡ−Ａ線に沿った要部構造を示し、非常時の扉開放状態を示す拡大断面図である。
【図３】この発明の実施の形態１におけるエレベータのかごの動作を説明するためのフローチャートである。
【図４】この発明の実施の形態２におけるエレベータのかごの非常時の扉開放状態を示す拡大断面図である。
【図５】この発明の実施の形態３におけるエレベータのかごの非常時の扉開放状態を示す拡大断面図である。
【図６】この発明の実施の形態４におけるエレベータのかごを室内側から見た斜視図である。
【図７】図６のＢ−Ｂ線に沿った要部構造を示す拡大断面図である。
【符号の説明】
【００２０】
１  かご室
２  かご操作盤
３  袖壁
４  非常ボタン
５  金属製の非常扉
６  開口部
７  支持ピン
８  金属製扉体
９  リンク機構
１０  ロック機構
１１  連結具
１２  閉塞体
１３  ガラス製ハーフミラーからなる鏡
【図１】
2008137796.tif 000003
【図２】
2008137796.tif 000004
【図３】
2008137796.tif 000005
【図４】
2008137796.tif 000006
【図５】
2008137796.tif 000007
【図６】
2008137796.tif 000008
【図７】
2008137796.tif 000009